(57)【要約】      （修正有）【課題】一般に市販されている生理用ナプキンは、表面がフラットで運動時の体の動きに追従しづらいため、ナプキンがずれて経血が横もれしたり、また経血の吸収速度が遅いために横もれしてしまうことがある。更に、経血が乾燥して粉状になり、ナプキン外に飛び散ってしまうことがある。【解決手段】経血の吸収速度を速めたり、また、乾燥して粉状になった経血を閉じ込めたり、運動時の変形にも対応するため、ナプキンの表面シートから液吸収層にかけて、魚鱗模様の切り込みとナプキンの長手方向両側にカーブした切り込みを設ける。【選択図】図１
2019063436.tif 000002
【特許請求の範囲】
【請求項１】
本発明は、液透過性の表面シート２、液吸収層３および液不透過性の裏面シート４からなる生理用ナプキンであって、表面シート２から液吸収層３にかけて魚鱗模様の切り込み５を設け、更に魚鱗模様の切り込み５と接するようにナプキンの長手方向両側にカーブした切り込み６および７を設けることを特徴とする生理用ナプキン。
【請求項２】
請求項１に記載の魚鱗模様の切り込み５は、魚鱗１の先端部５-１から魚鱗１の付け根部５-２や５-３まで、また魚鱗１の切り込み最深の付け根部１０まで、スプーンの丸みを帯びた底のように、立体的な孤を画いた切り込み形状であることを特徴とする生理用ナプキン。
【請求項３】
請求項１に記載のナプキンの長手方向両側のカーブした切り込み６および７は、表面シート２から液吸収層３にかけて、表面シート２に対して垂直に切り込みを入れ、切り込み深さは切り込み先端が裏面シート４に達しないまでの深さとすることを特徴とする生理用ナプキン。
【発明の詳細な説明】
【技術分野】
【０００１】
本発明は、魚鱗模様の切り込みを有する生理用ナプキンに関するものである。
【背景技術】
【０００２】
女性の生理用保護器具には、主に生理用ナプキンと生理用タンポンの２つのタイプが提供されている。
従来の生理用ナプキンは、基本的な構成として、肌側表面に位置する液透過性の表面シート、肌着側裏面に位置する液不透過性の裏面シート、及び表面シートと裏面シートとの間に設けられた液吸収層を備えていて、経血の吸収性、装着の快適性、防漏性、防臭性に優れた製品（特許文献１）（特許文献２）（特許文献３）が多く提供されてきた。この他、生理帯或いは失禁者の尿の吸収帯等の吸収当て物を備えた製品（特許文献４）も考案されている。
一方、生理用タンポンは、円柱状に膣内繊維を残さないよう一枚の繊維状で、アトランダムに配置された鱗状、ループ状で折り込み、生理時の残留物を除去する製品（特許文献５）も考案されている。
【先行技術文献】
【特許文献】
【０００３】
【特許文献１】特開２０１３-０７５０９４号公報
【特許文献２】特開２００７-２７５４９１号公報
【特許文献３】特許５１４０１４５号公報
【特許文献４】欧州０００５３１７１４号和文抄録
【特許文献５】特開２００１-０１７４６５号公報
【発明の概要】
【発明が解決しようとする課題】
【０００４】
現在、一般に市販されている生理用ナプキンは、表面がフラットで運動時の体の動きに追従しづらいため、ナプキンがずれて経血が横もれしたり、また経血の吸収速度が遅いために横もれしてしまうことがある。更に、経血が乾燥して粉状になり、ナプキン外に飛び散ってしまうことがある。
本発明は、以上の問題点を解決するためになされたものである。
【課題を解決するための手段】
【０００５】
本発明は、液透過性の表面シート２、液吸収層３および液不透過性の裏面シート４からなる生理用ナプキンであって、表面シート２から液吸収層３にかけて魚鱗模様の切り込み５を設け、更に魚鱗模様の切り込み５と接するようにナプキンの長手方向両側にカーブした切り込み６および７を設けることを特徴とする生理用ナプキンを提供するものである。
【０００６】
前記魚鱗模様の切り込み５は、魚鱗１の先端部５-１から魚鱗１の付け根部５-２や５-３まで、また魚鱗１の切り込み最深の付け根部１０まで、スプーンの丸みを帯びた底のように、立体的な孤を画いた切り込み形状であることを特徴とする。（魚鱗１は魚鱗模様の中の一片の鱗を示す）
【０００７】
前記ナプキンの長手方向両側のカーブした切り込み６および７は、表面シート２から液吸収層３にかけて、表面シート２に対して垂直に切り込みを入れ、切り込み深さは切り込み先端が裏面シート４に達しないまでの深さとすることを特徴とする。
【発明の効果】
【０００８】
本発明を使用すると、魚鱗模様の切り込みとナプキンの長手方向両側のカーブした切り込みにより、運動時でもナプキンが体の動きに追従し、また切り込みによって表面積が増すことにより、経血の吸収が早くなって経血の横もれを防ぐことが出来る。
更に、経血が乾燥して粉状になった場合でも切り込みに閉じ込められるため、飛び散ってナプキン外の着衣のみならず、便座などにも付着することを防ぐことが出来る。
【図面の簡単な説明】
【０００９】
【図１】本発明に係る魚鱗模様の生理用ナプキンの斜視図
【図２】魚鱗の平面図
【図３】図２のＢ−Ｂ矢視断面図
【図４】図１のＡ−Ａ矢視片側断面図
【図５】魚鱗模様のナプキンがねじれて曲がった時の斜視図
【図６】魚鱗模様のナプキンがアーチ状に曲がった時の斜視図
【発明を実施するための形態】
【００１０】
以下、本発明を実施するための形態について、図面を参照しながら詳述する。
【００１１】
本発明の生理用ナプキンの基本的な構成としては、一般に市販されている生理用ナプキンと同様であり、図１、図３および図４に示されるように、肌側表面に位置する液透過性の表面シート２、肌着側裏面に位置する液不透過性の裏面シート４、及び表面シート２と裏面シート４との間に設けられた液吸収層３を備えており、肌側表面に位置する液透過性の表面シート２から液吸収層３にかけて、マーメイドの魚鱗模様の切り込み５を設け、また、魚鱗模様の切り込み５と接するように、ナプキンの長手方向両側にカーブした切り込み６および７を設けている。
【００１２】
前記魚鱗模様の切り込み５は、図２に示されるように、魚鱗１の先端部５-１から魚鱗１の付け根部５-２や５-３まで、また図３に示されるように、魚鱗１の切り込み最深の付け根部１０まで、スプーンの丸みを帯びた底のように、立体的な孤を画いた切り込み形状とする。
【００１３】
前記ナプキンの長手方向両側のカーブした切り込み６および７は、図４に示されるように、表面シート２から液吸収層３にかけて、表面シート２に対して垂直に切り込みを入れ、切り込み深さは切り込み先端が裏面シート４に達しないまでの深さとする。
【００１４】
前記魚鱗模様の切り込み５やナプキンの長手方向両側のカーブした切り込み６および７を設けることで、体をねじった場合、図５に示されるように、ナプキンもねじれに対応して左右非対称に開いた状態の切り込み１１になり、また、ナプキンがアーチ状に曲がった場合も、図６に示されるように、アーチ状に対応して左右対称に開いた状態の切り込み１２になることで、体のねじれに追従出来る。
【００１５】
更に、経血が乾燥して粉状になっても、図３および図４に示されるように、魚鱗模様の切り込み５やナプキンの長手方向両側のカーブした切り込み６および７に入り込んで閉じ込められるため、肌に付着してかゆみの原因になったり、便座等に落ちたりせず、生理中でも快適に過ごすことが出来る。
【００１６】
前記魚鱗模様の切り込み５の表面８およびナプキンの長手方向両側のカーブした切り込みの表面９は、それぞれ図３および図４に示されるように、液吸収層３が飛び出さないように液透過性の切り込み表面シート２-１で被覆されている。
【００１７】
前記魚鱗模様の切り込み５には、図２および図３に示すような空隙を設けてもよい。
【００１８】
以上の構成からなる本発明の生理用ナプキンは、図１に示されるように、魚鱗１の付け根方向を体の前面側１３とし、一方魚鱗１の先端方向を体の背面側１４として、肌に装着して使用する。
【符号の説明】
【００１９】
１  魚鱗
２  表面シート
２-１  切り込み表面シート
３  液吸収層
４  裏面シート
５  魚鱗模様の切り込み
５−１  魚鱗の切り込み先端部
５−２  魚鱗の付け根部
５−３  魚鱗のもう一方の付け根部
５−４  「５−１」と向かい合う切り込み先端部
６  ナプキン長手方向のカーブした切り込み
７  「６」と反対側に位置するもう一方の切り込み
８  魚鱗模様の切り込みの表面
９  「６」と「７」の表面
１０  魚鱗模様の切り込み最深の付け根部
１１  ねじれに対応して左右非対称に開いた状態の切り込み
１２  アーチ状に対応して左右対称に開いた状態の切り込み
１３  ナプキンが装着される時の体の前面側
１４  ナプキンが装着される時の体の背面側
【図１】
2019063436.tif 000003
【図２】
2019063436.tif 000004
【図３】
2019063436.tif 000005
【図４】
2019063436.tif 000006
【図５】
2019063436.tif 000007
【図６】
2019063436.tif 000008
【手続補正書】
【提出日】平成30年1月23日(2018.1.23)
【手続補正１】
【補正対象書類名】特許請求の範囲
【補正対象項目名】請求項１
【補正方法】変更
【補正の内容】
【請求項１】
本発明は、液透過性の表面シート２、液吸収層３および液不透過性の裏面シート４からなる生理用ナプキンであって、表面シート２から液吸収層３にかけて魚鱗模様の切り込み表面シートで被覆された切り込み５を設け、更に魚鱗模様の切り込み表面シートで被覆された切り込み５と接するようにナプキンの長手方向両側にカーブした切り込み表面シートで被覆された切り込み６および７を設けることを特徴とする生理用ナプキン。